(57)【要約】【課題】温水装置を洗いやすくする。また、可搬式ケースに対して温水装置を出し入れしやすくする。【解決手段】側面１０ｓに取り付けられた取っ手１７を備える温水装置１０と、温水装置１０を収容する上下２分割式の可搬式ケース２０と、を備える。可搬式ケース２０は、箱体状の下ケース４０と、下ケース４０の上方側に配置される箱体状の上ケース３０と、を備える。可搬式ケース２０は、下ケース４０に上ケース３０を取り付けたときに温水装置１０を内部に収容可能な空間が形成されるものである。また、下ケース４０の上端４０ｔの位置を、下ケース４０内に配置された温水装置１０の取っ手１７の取り付け位置よりも下方側に設定している。【選択図】図１
2012078064.tif 000002
【特許請求の範囲】
【請求項１】
側面に取り付けられた取っ手を備える温水装置と、
前記温水装置を収容する上下２分割式の可搬式ケースと、を備え、
前記可搬式ケースは、
箱体状の下ケースと、
前記下ケースの上に取り付けられる箱体状の上ケースと、を備え、
前記下ケースに前記上ケースを取り付けたときに前記温水装置を内部に収容可能な空間が形成されるものであり、
前記下ケースの上端位置を、当該下ケース内に配置された前記温水装置の前記取っ手の取り付け位置よりも下方側に設定している、可搬式温水システム。
【発明の詳細な説明】
【技術分野】
【０００１】
本発明は、温水装置および可搬式ケースを備える可搬式温水システムに関する。
【背景技術】
【０００２】
特許文献１等に記載されているように、従来より温水装置（湯沸かし器）がある。また、温水装置には、災害現場等で使用しやすくするために、持ち運びができるように（可搬式に）したものがある（非特許文献１）。
【０００３】
例えば、ＮＢＣ災害（核、生物、及び化学物質による災害）の現場で、被災者の体をシャワーなどで洗う必要がある場合がある。また、地震等の天災が起こったときに、被災者がシャワーを浴びるための仮設のシャワー施設を設置する必要がある場合がある。このような場合に、温水装置を現場まで運び、温水装置へ水を供給し、温水装置から湯を出す。
【先行技術文献】
【特許文献】
【０００４】
【特許文献１】特開２００７−２５５７５３
【非特許文献】
【０００５】
【非特許文献１】"シンフォニアテクノロジー：可搬式電気温水装置（災害緊急時に持ち運び可能）"、［ｏｎｌｉｎｅ］、［平成２２年９月２９日検索］、インターネット＜ＵＲＬ：http://www.sinfo-t.jp/aerospace/hotwater.html＞
【発明の概要】
【発明が解決しようとする課題】
【０００６】
非特許文献１に記載の温水装置には、温水装置の搬送を容易にするために車輪が設けられている。このような温水装置には、洗いにくいという問題が生じる可能性がある。すなわち、温水装置の使用後に、温水装置を清潔に保つために洗浄（水洗い）する場合がある。特にＮＢＣ災害の現場で温水装置を使用して、温水装置が汚染された場合、使用後には温水装置の全面を洗浄する必要がある場合がある。しかし、車輪が温水装置に設けられている場合、車輪の隙間（車輪本体と車輪本体の支持部との隙間など）を十分に洗えない（洗い残しが生じる）問題が生じる可能性がある。また、これらの部材の温水装置への取り付け部から温水装置内部に水が入り、温水装置が故障する可能性もある。このとき、汚染された水が温水装置内部に入ると、温水装置内部が汚染されてしまう可能性もある。
【０００７】
また、温水装置の搬送を容易にするために、可搬式の箱等に温水装置を収容することも考えられる。しかしながら、単に可搬式の箱等に温水装置を収容するのみでは、この温水装置を出し入れしにくいという問題が生じる場合がある。災害現場では被災者の洗浄を一刻も早く行う必要がある場合があり、この場合に温水装置の出し入れに手間取ることが人命にかかわる問題となる場合もあるので、温水装置の出し入れのしにくさは極めて重大な問題となる可能性がある。
【０００８】
本発明の目的は、温水装置を洗いやすく、可搬式ケースに対して温水装置を出し入れしやすい、可搬式温水システムを提供することである。
【課題を解決するための手段及び効果】
【０００９】
第１の発明の可搬式温水システムは、側面に取り付けられた取っ手を備える温水装置と、前記温水装置を収容する上下２分割式の可搬式ケースと、を備える。前記可搬式ケースは、箱体状の下ケースと、前記下ケースの上に取り付けられる箱体状の上ケースと、を備える。さらに、前記可搬式ケースは、前記下ケースに前記上ケースを取り付けたときに前記温水装置を内部に収容可能な空間が形成されるものである。前記可搬式ケースでは、前記下ケースの上端位置を、当該下ケース内に配置された前記温水装置の前記取っ手の取り付け位置よりも下方側に設定している。
【００１０】
この可搬式温水システムは、温水装置を収容する可搬式ケースを備える。よって、温水装置に車輪を設けなくても、可搬式温水システムを容易に搬送できる。そして、温水装置に車輪を設けない場合、温水装置を洗いやすい。
また、この可搬式温水システムでは、下ケースの上端位置を、下ケース内に配置された温水装置の取っ手の取り付け位置よりも下方側に設定している。よって、下ケースに対して上ケースが取り外された状態で、温水装置の取っ手が下ケースで覆われることがない。よって、可搬式温水システムの使用者は、下ケースから温水装置を取り出すときに温水装置の取っ手を持ちやすく、また、下ケースに温水装置を収容するときに取っ手を持ったまま温水装置を収容できる。したがって、可搬式ケースに対して温水装置を出し入れしやすい。
【図面の簡単な説明】
【００１１】
【図１】可搬式温水システムの斜視図である。
【図２】図１に示す可搬式温水システムを上から見た図である。
【図３】図１に示す可搬式温水システムを正面から見た図である。
【図４】図１に示す可搬式温水システムを横から見た図である。
【発明を実施するための形態】
【００１２】
以下、図１〜図４を参照して可搬式温水システム１の実施形態を説明する。なお、図１では上ケース３０を取り外した状態を示す。図２は、図１、３及び４に示す矢印Ｆ２の向きに可搬式温水システム１を見た図である。図３は、図１、２及び４に示す矢印Ｆ３の向きに可搬式温水システム１を見た図である。図４は、図１〜３に示す矢印Ｆ４の向きに可搬式温水システム１を見た図である。
【００１３】
可搬式温水システム１は、災害（ＮＢＣ災害や、地震等の天災など）の現場に運んで臨時のシャワー装置として用いるのに適している。可搬式温水システム１は、図１に示すように、温水装置１０と、温水装置１０を収容する可搬式ケース２０とを備える。
【００１４】
（温水装置）
温水装置１０は、図１に示すように、供給された水を温めて温水を排出する電気温水装置（いわゆる瞬間湯沸かし器）である。温水装置１０の重量は例えば約２０ｋｇであり、例えば２人で運搬される。温水装置１０は防水構造となっており、全面を洗浄（水洗い）できる。温水装置１０は車輪を備えていない。温水装置１０は全体として直方体状である。なお、温水装置１０の、上面１０ａおよび下面１０ｂ（図３参照）以外の面を側面１０ｓという。側面１０ｓは、前面１０ｔ、背面１０ｕ（図２参照）、右横面１０ｖ（同図参照）及び左横面１０ｗで構成される。また、説明の便宜上、上面１０ａの長手方向（右横面１０ｖと左横面１０ｗとが対向する方向）を「横方向」といい、上面１０ａの長手方向に直交する方向（前面１０ｔと背面１０ｕとが対向する方向）を「前後方向」という。
温水装置１０は、直方体状の温水装置本体１１、温水装置本体１１の前面１０ｔ及び背面１０ｕ（図２参照）に設けられた突起部１５、温水装置本体１１の前面１０ｔに設けられたスイッチ類１６、および、温水装置本体１１の右横面１０ｖ（図２参照）及び左横面１０ｗに取り付けられた取っ手１７を備える。
【００１５】
突起部１５は、温水装置本体１１の前面１０ｔ及び背面１０ｕ（図２参照）から突出する部分である。突起部１５は、具体的には例えば、前面１０ｔから突出するホースジョイント部１５ａ及びダイヤル１５ｂ、および、図２及び図４に示す背面１０ｕから突出するブレーカーのスイッチ１５ｃである。
【００１６】
ホースジョイント部１５ａは、図１に示すように、ホースを接続する部分であり、給水口及び排水口の２つを備える。ホースジョイント部１５ａは、前面１０ｔの下端近傍（すなわち後述する下ケース４０の前面２０ｔにぶつけやすい位置）に取り付けられる。
【００１７】
ダイヤル１５ｂは、具体的には例えば、ホースジョイント部１５ａ（の排水口）から排出される湯の温度を調整する温度調整ダイヤル、および、排出される湯の流量を調整する湯量（流量）調整ダイヤルである。
【００１８】
ブレーカーのスイッチ１５ｃは（図２及び図４参照）、防水性を有し、回して操作するスイッチである。ブレーカーのスイッチ１５ｃは、温水装置１０を後ろから見たとき、背面１０ｕの例えば右上部分（前から見たとき、左上部分）に取り付けられる。なお、温水装置１０は、図示しない電源コネクタを例えば背面１０ｕに備える。
【００１９】
スイッチ類１６は、図１に示すように、温水装置１０の電源類の入および切を指示する電源スイッチ、および、温水装置の状態等を表示する液晶表示部などを備える。なお、温水装置本体１１から突出しているスイッチ等の部材があれば、そのスイッチ等の部材は「突起部」に含まれる。
【００２０】
取っ手１７は、温水装置１０を持ち運びするときに手を掛けるための部材である。取っ手１７は、温水装置１０（温水装置本体１１）の側面１０ｓに取り付けられる。さらに詳しくは、取っ手１７は、上面１０ａの長手方向に対向する面（右横面１０ｖ（図２参照）及び左横面１０ｗ）それぞれに１つずつ取り付けられる。これにより、上面１０ａの長手方向に直交する方向に対向する面（前面１０ｔ及び背面１０ｕ（図２参照））に取っ手１７を取り付けた場合に比べ、温水装置１０が揺れにくいので、温水装置１０を持ち運びやすい。取っ手１７は例えば、温水装置本体１１の右横面１０ｖ（図２参照）及び左横面１０ｗから温水装置本体１１の内側へ凹む形状である。
【００２１】
（可搬式ケース）
可搬式ケース２０は、温水装置１０を収容し、運ぶことができる容器（ケーシング）である。可搬式ケース２０は、可搬式温水システム１の搬送時に温水装置１０が受ける衝撃を緩和する、また、温水装置１０の保管時に温水装置１０への埃等の付着を妨げて温水装置１０を清潔に保つ。可搬式ケース２０の材質は、例えばアルミニウム合金、さらに詳しくは例えばジュラルミンである。なお、可搬式ケース２０は全体として直方体状であり、上面２０ａ及び下面２０ｂ（図３参照）以外の面を側面２０ｓという。側面２０ｓは、前面２０ｔ、背面２０ｕ（図２参照）、右横面２０ｖ（同図参照）、及び左横面２０ｗで構成される。また、説明の便宜上、可搬式ケース２０の「前後方向」および「横方向」は、可搬式ケース２０に収容された温水装置１０の「前後方向」および「横方向」と一致するものとする。
【００２２】
また、可搬式ケース２０は、上下２分割式のケースである。可搬式ケース２０は、下ケース４０と、下ケース４０の上方側に配置される上ケース３０と、下ケース４０に取り付けられた取っ手５１と、下ケース４０および上ケース３０に取り付けられた留め具５２とを備える。また、可搬式ケース２０は、下ケース４０に上ケース３０を取り付けたときに温水装置１０を内部に収容可能な空間が形成されるものである。
【００２３】
上ケース３０は、箱体状であり、下ケース４０の上に取り付けられる。上ケース３０は、下ケース４０に対して上方に取り外し可能（詳細は留め具５２についての説明中で述べる）である。上ケース３０は、可搬式ケース２０におけるいわば蓋である。
【００２４】
下ケース４０は、箱体状であり、温水装置１０およびホース等６０（図１において二点鎖線で示す）を収容する容器である。下ケース４０は、下ケース本体４１と、下ケース本体４１の内部に配置された仕切り部材４２と、下ケース本体４１の内部に配置された緩衝材４３とを備える。
【００２５】
下ケース本体４１は、下ケース４０のうち、直方体状の箱から上面（蓋）を取り外したような形状の部分である。
【００２６】
仕切り部材４２は、図４に示すように、下ケース本体４１の内部を、温水装置収容部４０ａとホース等収容部４０ｂとに仕切る部材（例えば板）である。図１に示すように、仕切り部材４２により、ホース等６０（温水装置１０の周辺物）を可搬式ケース２０内に収容でき、ホース等６０を温水装置１０と共に搬送及び保管できる。図４に示すように、仕切り部材４２は、下ケース本体４１の背面２０ｕから所定の間隔（ホース等６０（図１参照）が収容可能となる間隔）をあけて、背面２０ｕと対向して配置される。仕切り部材４２は、下ケース本体４１の下面２０ｂ、右横面２０ｖ（図２参照）、及び左横面２０ｗ（同図参照）それぞれの内面に取り付け（固定）される。図１に示すように、仕切り部材４２は例えば、仕切り部材４２の上端が下ケース４０の上端４０ｔと揃うような高さに形成される。なお、ホース等６０は、具体的には例えば、ホースジョイント部１５ａに接続する給水ホース及びシャワーホース、または、温水装置１０と電源（図示なし）とを電気接続する電源ケーブル等である。
【００２７】
緩衝材４３は、図１に示すように、可搬式温水システム１の搬送時に温水装置１０が受ける衝撃を緩和するクッションである。また、緩衝材４３は、温水装置１０の下ケース４０に対する出し入れ時や搬送時に突起部１５が下ケース４０にぶつかることを防ぐ部材である。緩衝材４３は、具体的には例えばウレタン材などである。
【００２８】
この緩衝材４３は、下ケース４０の内面に４つ取り付けられる。さらに詳しくは、図２に示すように、緩衝材４３は、温水装置収容部４０ａの四隅（可搬式温水システム１を上から見た四隅）に固定される。４つの緩衝材４３は、前面２０ｔ及び左横面２０ｗに取り付けられる緩衝材４３ａ、前面２０ｔ及び右横面２０ｖに取り付けられる緩衝材４３ｂ、仕切り部材４２の前面４２ｔ及び右横面２０ｖに取り付けられる緩衝材４３ｃ、および、仕切り部材４２の前面４２ｔ及び左横面２０ｗに取り付けられる緩衝材４３ｄを備える。なお、下ケース４０が仕切り部材４２を備えない場合は、緩衝材４３ｃ及び緩衝材４３ｄは、仕切り部材４２の前面４２ｔに取り付けられることに代えて、下ケース４０の背面２０ｕに取り付けられる。
【００２９】
また、緩衝材４３は、下ケース４０内に配置された温水装置１０の周囲に位置するように配置される。さらに詳しくは、４つの緩衝材４３は、温水装置１０の４つの角（温水装置１０を上から見た４つの角。以下同じ）を支えるように、温水装置１０の周囲に配置される。４つの緩衝材４３は、温水装置１０の４つの角に沿うように、上から見てＬ字状の切り欠きがそれぞれ形成される。このように４つの緩衝材４３が温水装置１０の周囲に配置されるので、搬送時に温水装置１０が受ける衝撃を抑制できる。なお、このように衝撃を抑制しなければ、温水装置１０の防水性を損なう、または、温水装置１０が故障する等の問題が生じ得る。
【００３０】
また、緩衝材４３は、温水装置１０の４つの角の周辺部のみを支える。すなわち、４つの緩衝材４３どうしの間に隙間がある。特に、緩衝材４３ａと緩衝材４３ｄとの間、および、緩衝材４３ｂと緩衝材４３ｃとの間に隙間がある。すなわち、緩衝材４３は、温水装置１０の右横面１０ｖや左横面１０ｗの一部にのみ接触し、全体には接触しない。このように、緩衝材４３は温水装置１０の４つの角の周辺部のみを支えるので、下ケース４０に対し温水装置１０を出し入れする時に生じる、温水装置１０と緩衝材４３との摩擦抵抗が抑制される。したがって、可搬式ケース２０に対して温水装置１０を出し入れしやすい。
【００３１】
また、緩衝材４３は、図３及び図４に示すように、下ケース本体４１の下面２０ｂから上端４０ｔにわたって（下ケース本体４１の高さ方向全体にわたって）配置される。これにより、緩衝材４３は温水装置１０を確実に支持できる。
【００３２】
また、緩衝材４３は、図１に示すように、温水装置１０の突起部１５と下ケース４０の内面との間に隙間ができるように配置および形成される（具体的な構成は上述）（「下ケース４０の内面」には仕切り部材４２の前面４２ｔ（図２参照）を含む）。したがって、可搬式温水システム１の保管時および搬送時に、温水装置１０の突起部１５を保護できる。
また、上記隙間があるので、下ケース４０に対して温水装置１０を出し入れする時に、突起部１５が下ケース４０の内面にぶつからない。すなわち、同出し入れする時に、温水装置１０は上下方向には移動可能であるが、前後方向にはほとんど移動できない（突起部１５が下ケース４０にぶつかるほど大きく前後方向に移動することはない）。したがって、突起部１５が下ケース４０にぶつかることを恐れて注意深く温水装置１０を出し入れする必要がない。その結果、可搬式ケース２０に対して温水装置１０を出し入れしやすい。なお、突起部１５を下ケース４０にぶつけた場合、温水装置１０が故障するおそれがあり、特にホースジョイント部１５ａを破損するとホースジョイント部１５ａから水が漏れる問題が生じる。
【００３３】
車輪４４は、図３に示すように、可搬式ケース２０の（可搬式温水システム１の）搬送を容易にするための部材（キャリー）である。車輪４４は、下ケース４０の下面２０ｂに取り付けられる。車輪４４は、下面２０ｂの例えば四隅（下から見た四隅）周辺に取り付けられる。
【００３４】
取っ手５１は、図１に示すように、可搬式ケース２０を手で持つために可搬式ケース２０の周囲（側面２０ｓ）に取り付けられた部材である。取っ手５１は、温水装置１０の上面１０ａの長手方向（すなわち横方向）に対向する側面２０ｓ（具体的には右横面２０ｖ（図２参照）および左横面２０ｗ）に取り付けられる。これにより、温水装置１０の上面１０ａの長手方向に直交する方向に対向する側面２０ｓ（具体的には前面２０ｔおよび背面２０ｕ（図２参照））に取っ手５１が取り付けられた場合に比べ、可搬式温水システム１が揺れにくいので、可搬式温水システム１を運びやすい。
【００３５】
（留め具）
留め具５２は、図３に示すように、下ケース４０及び上ケース３０の外側側面２０ｓ（可搬式ケース２０の周囲。図２参照）に取り付けられる。留め具５２は、具体的にはラッチ（掛け金、留め金）であり、いわゆるパッチン錠（パチン錠）である。図２に示すように、留め具５２は、可搬式ケース２０の側面２０ｓのうち、取っ手５１が取り付けられていない面、具体的には前面２０ｔ及び背面２０ｕに、例えば２つずつ（合計４つ）取り付けられる。
また、図１に示すように、留め具５２は、下ケース４０に対して上ケース３０を留めること及び上方に取り外すことを可能にする。すなわち、上ケース３０と下ケース４０とを留め具５２のみで留めること（固定すること）ができ、可搬式ケース２０は例えばヒンジ等を備えない。ここで、上ケース３０と下ケース４０とがヒンジ等で接続されている場合等のように、下ケース４０に対して上ケース３０を上方に取り外せない場合は、温水装置１０の出し入れのときに上ケース３０が邪魔になる場合がある。具体的には、上ケース３０をヒンジ等を中心として回動させて可搬式ケース２０を開くと、上ケース３０の重みで可搬式ケース２０が不安定となり、倒れやすくなる。または、可搬式ケース２０が倒れないように、注意深く温水装置１０を出し入れする必要が生じる場合がある。一方で、下ケース４０に対して上ケース３０を上方に取り外せる場合は、温水装置１０の出し入れのときに上ケース３０が邪魔になることが抑制される。したがって、可搬式ケース２０に対して温水装置１０を出し入れしやすい。
【００３６】
（下ケースの上端）
ここで、下ケース４０の上端４０ｔの位置（上端位置）について説明する。可搬式温水システム１は、上ケース３０を下ケース４０から取り外せば、温水装置１０の取っ手１７が出てくる（露出する）ように構成されている。すなわち、下ケース４０の上端４０ｔの位置は、下ケース４０内に配置された温水装置１０の取っ手１７の取り付け位置よりも下方側に設定される。
さらに詳しくは、取っ手１７の取り付け位置のうち少なくとも一部よりも、下ケース４０の上端４０ｔの位置が下方側に設定される（言い換えれば、温水装置１０の取っ手１７が下ケース４０から一部でも露出すればよい）。下ケース４０の上端４０ｔの位置が、取っ手１７の取り付け位置の下端よりも下方側の場合（取っ手１７が下ケース４０から完全に露出する場合）は、可搬式温水システム１の使用者は取っ手１７を持ちやすい。
また、下ケース４０内に配置された温水装置１０の取っ手の近傍で、下ケース本体４１の右横面２０ｖ（図２参照）及び左横面２０ｗの上端４０ｔの位置は、温水装置１０の取っ手１７の取り付け位置よりも下方側に設定される。なお、温水装置１０の取っ手１７の近傍以外の部分（例えば前面２０ｔや背面２０ｕ（図２参照）など）では、下ケース４０の上端が温水装置１０の取っ手１７よりも下方側に設定する必要はない。
【００３７】
また、下ケース４０の上端４０ｔは、具体的には、可搬式ケース２０の上下方向中央付近に位置する。すなわち、上ケース３０の高さと下ケース４０の高さはほぼ同じである。なお、下ケース４０の上端４０ｔが可搬式ケース２０の下端付近にある場合、すなわち、下ケース４０よりも上ケース３０の高さが高い場合、上ケース３０が大きく重くなる。この場合、下ケース４０から上ケース３０を引き上げるときに、上ケース３０をまっすぐに上げにくい。その結果、温水装置１０の出し入れの迅速性を損なう。よって、下ケース４０の上端４０ｔは、可搬式ケース２０の上下方向中央付近に位置することが好ましい。
【００３８】
（可搬式温水システムの使用方法）
可搬式温水システム１は、例えば次のように使用される。
通常時には、温水装置１０およびホース等６０を可搬式ケース２０に収容し、可搬式温水システム１を保管する。
【００３９】
災害時には、可搬式温水システム１は次のように使用される。
まず、可搬式温水システム１を災害現場の近くまで運ぶ。次に、留め具５２を外す。次に、下ケース４０に対して上ケース３０を上方に完全に取り外し、上ケース３０は下ケース４０の例えば近傍などに置く。このとき、温水装置１０の取っ手１７が下ケース４０内に隠れることなく露出される。次に、取っ手１７を用いて温水装置１０を上方に持ち上げ、温水装置１０を下ケース４０から取り出す。次に、災害現場の温水装置１０の使用場所まで、温水装置１０を持ち上げつつ運ぶ。このとき、可搬式ケース２０は運ばなくてもよい。
そして、温水装置１０の使用後、温水装置１０を洗浄（水洗い）する。このとき、可搬式ケース２０は汚れて（汚染されて）いなければ洗浄しなくてもよい。次に、温水装置１０を下ケース４０に収容する。このとき、温水装置１０の取っ手１７を持ったまま、温水装置１０を下ケース４０に収容できる。次に、上ケース３０を下ケース４０の上方に配置し、留め具５２で留める。次に、可搬式温水システム１を、次の現場や保管場所などに運ぶ。
【００４０】
（本実施形態の可搬式温水システム１の特徴）
この可搬式温水システム１は、図１に示すように、温水装置１０を収容する可搬式ケース２０を備える。よって、温水装置１０に車輪を設けなくても（取り付けなくても）、可搬式温水システム１を容易に搬送できる。そして、温水装置１０に車輪を設けない場合、温水装置１０を洗いやすい。
さらに詳しくは、車輪が温水装置１０に設けられて（取り付けられて）いる場合、車輪の隙間（車輪本体と車輪本体の支持部との隙間など）を十分に洗えない（洗い残しが生じる）問題が生じる可能性がある。また、車輪の温水装置１０への取り付け部から温水装置１０内部に水が入り、温水装置１０が故障する可能性もある。このとき、汚染された水が温水装置１０内部に入ると、温水装置１０内部が汚染されてしまう可能性もある。一方で本発明では、車輪を温水装置１０に取り付けない場合、上記問題を解決できる。
【００４１】
また、この可搬式温水システム１では、下ケース４０の上端４０ｔの位置を、下ケース４０内に配置された温水装置１０の取っ手１７の取り付け位置よりも下方側に設定している。よって、下ケース４０に対して上ケース３０が取り外された状態で、温水装置１０の取っ手１７が下ケース４０で覆われることがない。よって、可搬式温水システム１の使用者（オペレータ等）は、下ケース４０から温水装置１０を取り出すときに温水装置１０の取っ手１７を持ちやすく、また、下ケース４０に温水装置１０を収容するときに取っ手１７を持ったまま温水装置１０を収容できる。したがって、可搬式ケース２０に対して温水装置１０を出し入れしやすい。
【００４２】
（変形例）
上記の可搬式温水システム１は様々に変形できる。例えば、上記の温水装置１０は電気式であるが、ガス式などに変形してもよい。また例えば、可搬式ケース２０は仕切り部材４２を１つ備えるが、仕切り部材４２を備えなくてもよく、仕切り部材４２を２以上備えてもよい。また例えば、可搬式ケース２０には車輪４４を取り付けたが、搬送を容易にするために車輪以外の部材を取り付けてもよい。また例えば、可搬式ケース２０は、留め具５２を備えヒンジを備えないが、ヒンジを備える構成としてもよい。その他実施形態に記載の部材の数や形状は適宜変更や変形できる。
【符号の説明】
【００４３】
１    可搬式温水システム
１０  温水装置
１０ｓ  側面
１７  取っ手
２０  可搬式ケース
２０ｓ  側面
３０  上ケース
４０  下ケース
４０ｔ  上端
４４  車輪
５２  留め具
【図１】
2012078064.tif 000003
【図２】
2012078064.tif 000004
【図３】
2012078064.tif 000005
【図４】
2012078064.tif 000006